(57)【要約】      （修正有）【課題】自動車の無断駐車を防止し、かつ駐車スペースの区画整理や移設などに対応でき、周囲の景観を損なわないコーン型標識の提供。【解決手段】自動車の最低地上高よりも長寸の柱状体１０と、柱状体１０の一端に連設され、柱状体１０よりも大径でかつ第１のねじ孔３４を有する台座部１１と、上面が台座部１１に接し、底面が路面に接し、台座部１１を重ね合わせたときに第１のねじ孔３４に連通する第２のねじ孔を有する金属製板状のベース部１２と、第１、第２のねじ孔に螺合され、ベース部１２に台座部１１を固定して柱状部１０を立設するねじ部材１４と、ベース部１２の底面に設けられ、第１の接着剤を含む第１の接着剤層と、第１の接着剤層の周囲を取り囲むように設けられ、第１の接着剤よりも耐水性のよい第２の接着剤を含む第２の接着剤層とからなる接着剤層１３と、を備えるコーン型標識１。【選択図】図２
2018178457.tif 000002
【特許請求の範囲】
【請求項１】
空き駐車スペースへの無断駐車を防止するコーン型標識であって、
自動車の最低地上高よりも長寸の柱状体と、
前記柱状体の一端に連設され、前記柱状体よりも大径でかつ第１のねじ孔を有する台座部と、
一面が前記台座部に接し、他面が路面に接するように設けられ、前記台座部を重ね合わせたときに前記第１のねじ孔に連通する第２のねじ孔を有する金属製板状のベース部と、
前記第１、第２のねじ孔に螺合され、前記ベース部に前記台座部を固定することにより、前記柱状部を立設するねじ部材と、
前記ベース部の前記他面に設けられ、接着剤からなり、前記ベース部を路面に固定する接着剤層と、を備え、
前記接着剤層が、第１の接着剤を含む第１の接着剤層と、前記第１の接着剤層の周囲を取り囲むように設けられ、前記第１の接着剤よりも耐水性のよい第２の接着剤を含む第２の接着剤層と、からなるコーン型標識。
【請求項２】
前記柱状体と前記台座部とが一体成形物である、請求項１に記載のコーン型標識。
【請求項３】
前記第１の接着剤層の面積が、前記第２の接着剤層の面積よりも大きい、請求項１又は２に記載のコーン型標識。
【請求項４】
前記第１の接着剤層と前記第２の接着剤層との間に隙間を有する、請求項１〜３のいずれか１項に記載のコーン型標識。
【請求項５】
前記ベース部を前記第１、第２の接着剤層により路面に固定する前の前記第１、第２の接着剤層の厚みが０．５ｍｍ〜３ｍｍである、請求項１〜４のいずれか１項に記載のコーン型標識。
【請求項６】
前記柱状体は少なくとも表面が弾性体からなる、請求項１〜５のいずれか１項に記載のコーン型標識。
【請求項７】
前記ベース部が、前記台座部とほぼ同寸又は前記台座部よりも小寸である、請求項１〜６のいずれか１項に記載のコーン型標識。
【請求項８】
前記台座部が前記第１のねじ孔とは異なる位置に設けられた第１の釘孔を有し、かつ前記ベース部が、前記第２のねじ孔とは異なる位置に、前記台座部を重ね合わせたときに前記第１の釘孔に連通する第２の釘孔を有し、前記第１、第２の釘孔により形成された連通孔に打ち込まれる釘部材をさらに備える、請求項１〜７のいずれか１項に記載のコーン型標識。
【発明の詳細な説明】
【技術分野】
【０００１】
本発明は、コーン型標識に関する。
【背景技術】
【０００２】
従来から、円柱状ポールを立設する形式のコーン型標識（以下「ポールコーン」ともいう）は、例えば、高速道路の進入路、退出路、車両合流地点、中央分離帯などにおいて車線分離標として汎用されている。従来のポールコーンは、車両の走行による振動の激しい高速道路に設置されることから、概して、アンカー部を底面に有する円盤状のベース部を用い、アンカー部を地中に埋設してベース部を固定し、ベース部の上面に円柱状ポールを着脱自在に立設している。
【０００３】
しかしながら、従来のポールコーンを駐車スペースに設置した場合、円柱状ポールを壊すことなく取り外すだけで駐車可能になることから、無断駐車を抑制する効果は比較的小さい。また、ポールコーンのベース部は、前述のように地中に埋設されたアンカー部により固定されているので、簡単に取り外せるものではなく、取り外しには専用の工具が必要になる。このため、駐車スペースの区画変更や、隣接する建造物の増改築に伴う駐車スペースの移設などの際には、専門の業者へのポールコーンの取り外し依頼が必要になる場合が生じる。したがって、従来のポールコーンは、駐車スペースへの無断駐車を防ぐための標識には適していない。
【０００４】
特許文献１には、熱可塑性樹脂からなる円錐台形状のベース部と、ベース部の下面から下方に突出するアンカーボルトと、ベース部の上面中央部に立設される柱状体と、を備えるコーン型標識が記載されている。特許文献１のコーン型標識は、地中に埋設されたアンカーナットにベース部底面のアンカーボルトを螺合させることにより、路面に固定されている。また、特許文献１には、ベース部下面に塗布した接着剤により、該コーン型標識を路面に固定することが記載されている（段落［００１７］）。
【０００５】
一方、空き駐車スペースへの無断駐車を防止するために、種々の提案がなされている。例えば、特許文献２には、 ベース部と、ベース部に設けられた枢着部と、枢着部に枢支され、少なくともベース部上に倒伏した状態から起立状態へ回動可能に設けられ、枢着部に係合する長孔を有するほぼ円柱状の侵入制止体と、侵入制止体の下面側に設けられた係止突起又は係止孔及びベース部上における侵入制止体の起立状態での係止突起又は係止孔に対応する位置に設けられた係止孔又は係止突起からなり、ベース部上での侵入制止体の起立状態を保持するロック部と、を備える無断駐車防止装置が記載されている。
【先行技術文献】
【特許文献】
【０００６】
【特許文献１】特開２０１６−１１３８２１号公報
【特許文献２】特開平７−２０７９７９号公報
【発明の概要】
【発明が解決しようとする課題】
【０００７】
特許文献１のコーン型標識は、一般的なポールコーンと同様に、ベース部底面に設けられたアンカーボルトと地中に埋設されたアンカーナットとを螺合させることにより路面に固定されている。したがって、その取り外しが容易ではなく、駐車スペースの区画変更や、建造物の増改築に伴う駐車スペースの移動などに対応し難いという、従来のポールコーンを無断駐車防止標識として用いた場合の課題は解決されていない、また、特許文献１のコーン型標識でも、ベース部に立設された柱状部は、ベース部に対して着脱可能に設けられている。このため、柱状部を取り外すだけで罪悪感をあまり感じることなく駐車可能な状態を再現できることから、無断駐車の防止には有効ではない。
【０００８】
また、特許文献１には、接着剤によりベース部を路面に固定することが記載されている。しかしながら、単に接着剤を用いるだけでは、雨に晒され易い駐車スペースでは、一度の降雨で接着剤がベース部を固定する力が弱まる。その結果、柱状部の路面に対するほぼ垂直な立設状態を保持できず、周囲の景観に悪影響を及ぼという解決すべき課題がある。
【０００９】
特許文献２の無断駐車防止装置は、ベース部を構成する基板をアンカーピンやコンクリート釘により路面に固定したものであることから、その取り外しは簡易な作業ではない。このため、この無断駐車防止装置を設置した場合には、駐車スペースの区画変更や、建造物の増改築に伴う駐車スペースの移設などは容易ではない。また、この無断駐車防止装置は、構造が比較的簡易でありかつ比較的小型のものであるものの、特に倒伏状態では周囲の景観との違和感が生じるのを避けることができない。さらに、種々提案されている大型で構造の複雑な据置型の無断駐車防止装置は、路面からの取り外しに煩雑な作業を要するだけでなく、その外観の違和感が大きく、周囲の景観を著しく損なう。
【００１０】
本発明の目的は、自動車の無断駐車を防止し、かつ駐車スペースの区画整理や移設などにも対応でき、周囲の景観を損なわないコーン型標識を提供することである。
【課題を解決するための手段】
【００１１】
本発明は、下記（１）〜（８）のコーン型標識を提供する。
（１）空き駐車スペースへの無断駐車を防止するためのコーン型標識であって、自動車の最低地上高よりも長寸の柱状体と、柱状体の一端に連設され、柱状体よりも大径でかつ第１のねじ孔を有する台座部と、一面が台座部に接し、他面が路面に接するように設けられ、台座部を重ね合わせたときに第１のねじ孔に連通する第２のねじ孔を有する金属製板状のベース部と、第１、第２のねじ孔に螺合され、ベース部に台座部を固定することにより、柱状部を立設するねじ部材と、ベース部の他面に設けられ、接着剤からなり、ベース部を路面に固定する接着剤層と、を備え、接着剤層が、第１の接着剤を含む第１の接着剤層と、第１の接着剤層の周囲を取り囲むように設けられ、第１の接着剤よりも耐水性のよい第２の接着剤を含む第２の接着剤層と、からなるコーン型標識。
（２）柱状体と台座部とが一体成形物である、上記（１）のコーン型標識。
（３）第１の接着剤層の面積が、第２の接着剤層の面積よりも大きい、上記（１）又は（２）のコーン型標識。
（４）第１の接着剤層と第２の接着剤層との間に隙間を有する、上記（１）〜（３）のいずれかのコーン型標識。
（５）ベース部を第１、第２の接着剤層により路面に固定する前の第１、第２の接着剤層の厚みが０．５ｍｍ〜３ｍｍである、上記（１）〜（４）のいずれかのコーン型標識。
（６）柱状体は少なくとも表面が弾性体からなる、上記（１）〜（５）のいずれかのコーン型標識。
（７）ベース部が、台座部とほぼ同寸又は台座部よりも小寸である、上記（１）〜（６）のいずれかのコーン型標識。
（８）台座部が第１のねじ孔とは異なる位置に設けられた第１の釘孔を有し、かつベース部が、第２のねじ孔とは異なる位置に、台座部を重ね合わせたときに第１の釘孔に連通する第２の釘孔を有し、第１、第２の釘孔により形成された連通孔に打ち込まれる釘部材をさらに備える、上記（１）〜（７）のいずれかのコーン型標識。
【００１２】
上記（１）のコーン型標識によれば、柱状体の一端に台座部が連設され、台座部はねじ部材によりベース部に固定されているので、該コーン型標識を壊すことなく柱状体を取り除くことを困難であるため、空き駐車スペースへの無断駐車を防止する効果が大きくなる。また、ベース部はその底面に設けられた接着剤層により路面に固定されているが、第１の接着剤を含む第１の接着剤層の周囲を取り囲むように、第１の接着剤よりも耐水性の高い第２の接着剤を含む第２の接着剤層が設けられているため、降雨や車体洗浄の際の放水などによる接着力の低下が防止され、柱状体の立設状態を長期間にわたって保持することができる。さらに、上記（１）のコーン型標識は、ベース部と路面との間に金属板などを差し込むことにより、比較的容易に路面から取り外すことが可能であるため、駐車スペースの区画変更や、建造物の増改築に伴う駐車スペースの移設などにも容易に対応できる。さらに、上記（１）のコーン型標識は、大略、柱状体とそれを支えるベース部に重ね合わされた台座部のみが視認される非常に簡易な構造であるため、周囲の景観を損なうこともない。さらに、柱状体表面に周囲の景観に適合するように彩色を施せば、人の目を楽しませるような景観とすることも可能である。
【００１３】
上記（２）のコーン型標識によれば、柱状体とその一端に連設する台座部とを一体成形物とすることにより、該装置を壊さなければ柱状体を取り外し得ないことから、無断駐車を防止する効果が一層大きくなる。
上記（３）のコーン型標識によれば、第１の接着剤層の面積を第２の接着剤層の面積よりも大きくすることにより、第２の接着剤層による防水性能を低下させることなく、ベース部ひいては該コーン型標識の路面に対する接着力を高め、長期間の路面設置に対応可能になる。
【００１４】
上記（４）のコーン型標識によれば、第１の接着剤層と第２の接着剤層との間に、接着剤層のない隙間を設けることにより、第２の接着剤層を介して第１の接着剤層に水が浸透し難くなるため、第１の接着剤層による該コーン型標識と路面との接着強度が高い水準に保持される。また、該コーン型標識を路面から取り除く場合には、該コーン型標識と路面との間に金属板などの板状体を差し込むことにより、容易に取り除くことができるが、第１、第２の接着剤層間に接着剤層のない隙間があることにより、隙間のない連続した接着剤層に比べて、板状体が第１の接着剤層（すなわち接着剤層の奥）まで達し易くなるので、該コーン型標識の路面からの取り外し性が一層向上する。
【００１５】
上記（５）のコーン型標識によれば、ベース部を第１、第２の接着剤層により路面に固定する第１、第２の接着剤層の厚みを０．５ｍｍ〜３ｍｍの範囲とすることにより、十分な接着強度が長期的な保持され、また、柱状体の立設姿勢を路面に対してほぼ垂直に保つことができる。第１、第２の接着剤層の厚みが０．５ｍｍ未満では、十分な接着強度が得られないおそれがある。第１、第２の接着剤層の厚みが３ｍｍを超えると、柱状体の立設姿勢を路面に対してほぼ垂直に保持できない場合が生じ、また、それに伴って周囲の景観を損なう場合が生じることずある。
【００１６】
上記（６）のコーン型標識によれば、柱状体の少なくとも表面を弾性体で構成することにより、誤って自動車と接触しても自動車の車体を損傷させる可能性が低くなる。
上記（７）のコーン型標識によれば、ベース部を台座部とほぼ同寸又は台座部よりも小寸とすることにより、ベース部が台座部により覆われるので、ベース部と路面との間に水が浸入し難くなり、該コーン型標識（ベース部）と路面との接着をさらに長期間にわたって保持することができる。また、柱状体の立設姿勢を安定的に保持することができる。
【００１７】
上記（８）のコーン型標識によれば、台座部の第１のねじ孔とは異なる位置に第１の釘孔を設け、かつベース部の第２のねじ孔とは異なる位置に、台座部をベース部に重ね合わせたときに、第１の釘孔に連通する第２の釘孔をベース部に設け、第１、第２の釘孔により形成される連通孔に打ち込まれる釘部材をさらに用いることにより、各駐車スペース、特に駐車スペースの区画整理や、建造物の増改築に伴う駐車スペースの移設などの予定がない場合に、該コーン型標識をさらに強固に路面に固定することができる。
【発明の効果】
【００１８】
本発明によれば、自動車の無断駐車を防止し、かつ駐車スペースの区画整理や移設などにも対応でき、周囲の景観を損なわないコーン型標識が提供される。
【図面の簡単な説明】
【００１９】
【図１】駐車スペースに設置された第１実施形態のコーン型標識の外観を模式的に示す斜視図である。
【図２】図１に示すコーン型標識の構成を模式的に示す分解斜視図である。
【図３】図１に示すコーン型標識におけるベース部を路面に設置した状態を模式的に示す断面図である。
【図４】第１実施形態のコーン型標識の下端部の構成を拡大して模式的に示す断面図である。
【図５】第１実施形態のコーン型標識における接着剤層の構成を模式的に示す平面図である。
【図６】第２実施形態のコーン型標識の構成を模式的な示す分解斜視図である。
【図７】第２実施形態のコーン型標識における台座部のベース部への取り付け状態を模式的に示す断面図である。
【発明を実施するための形態】
【００２０】
図１は、空き駐車スペース１００に設置された第１実施形態のコーン型標識１の外観を示す斜視図である。図２は、コーン型標識１の構成を模式的な示す分解斜視図である。図３は、コーン型標識１におけるベース部１２を路面１０１に設置した状態を模式的に示す断面図である。図４は、コーン型標識１の下端部の構成を拡大して模式的に示す断面図である。より具体的には、図４は、コーン型標識１の下端部（柱状体１０下端部、台座部１１及びベース部１２）の構成を模式的に示す断面図である。図５は、コーン型標識１における接着剤層１３の構成を模式的に示す平面図である。
【００２１】
第１実施形態のコーン型標識１は、例えば、空き駐車スペース１００への無断駐車を防止するために設置されるものであり、概略的には、自動車の最低地上高よりも長寸の柱状体１０と、柱状体１０の一端（柱状体１０を立設したときの下端）に連設された台座部１１と、台座部１１が上方から重ね合されるベース部１２と、ベース部１２の底面（路面との接触面３７に設けられた接着剤層１３と、台座部１１をベース部１２に固定する複数のねじ部材１４と、を有する。本実施形態において、路面表面の材質は特に限定されないが、アスファルト、コンクリートなどからなる路面であることが好ましい。コーン型標識１の各部材の詳細は次の通りである。
【００２２】
本実施形態の柱状体１０は、図４に示すような中空体であり、軸方向に延びる筒状部２０と、筒状部２０の下端に連設された台座装着部２１と、からなる。筒状部２０は断面視ほぼ円形の円筒体であり、柱状体１０と同じ軸方向を有し、頂面３０には頂面３０よりも小寸でかつ頂面３０とほぼ同じ形状の凸部３０ａが設けられている。凸部３０ａは設けなくてもよい。筒状部２０に続く台座装着部２１は、筒状部２０よりも縮径して柱状体１０の軸方向に延びる縮径部３１と、縮径部３１の端部から徐々に拡径してベース部１２とは離隔したベース部１２側の端部３２ａで筒状部２０とほぼ同径になる拡径部３２と、からなる。縮径部３１には、筒状部２０を通して台座部１１が装着される。拡径部３２は、縮径部３１に装着された台座部１１の少なくとも一部を面支する。
【００２３】
筒状部２０の軸方向寸法（以下「長さ寸法」ともいう）は、前述のように自動車の最低地上高よりも長寸に構成される。ここで自動車の最低地上高は車種により若干異なるが、最低地上高が最も低い車種よりも５〜１０ｃｍ以上長ければ、自動車の車種に関係なく、自動車の進入を防止することができる。本実施形態では、筒状部２０の長さ寸法は例えば
好ましくは３５ｃｍ〜１５０ｃｍ、より好ましくは４０ｃｍ〜１３０ｃｍの範囲に設定される。また、筒状部２０の径は特に限定されないが、例えば、好ましくは５ｃｍ〜１５ｃｍ、より好ましくは７ｃｍ〜１０ｃｍの範囲に設定される。筒状部２０の立体形状は円柱状に限定されず、例えば三角柱、四角柱、六角柱、八角柱などの多角柱状でもよい。
【００２４】
柱状体１０は、筒状部２０及び台座装着部２１を熱融着、接着剤などにより接合したものでもよいが、柱状体１０に適度な剛性を付与する観点などから、筒状部２０及び台座装着部２１を同一材料で一体成形したものであることが好ましい。柱状体１０を構成する材料としては特に限定されないが、例えば、樹脂材料、弾性材料などが挙げられる。弾性材料としては、例えば、天然ゴムや合成ゴムなどのゴム類、エラストマー類、樹脂発泡体などが挙げられる。柱状体１０、特に筒状部２０の表面には、自動車との接触などによる車体の損傷を防止する観点から、例えば、弾性材料からなる層（弾性体層、図示せず）を設けてもよい。
【００２５】
本実施形態の柱状体１０は樹脂材料や弾性材料からなる中空体であるが、これに限定されず、例えば、金属製又は樹脂製の軸体と、軸体の表面に設けられた弾性体、樹脂発泡体などからなる被覆層と、からなる形態、全体が弾性体や樹脂からなる形態等の、中実体であってもよい。また、柱状体１０、特に筒状部２０の表面に、駐車スペース１００の周囲の景観に適合するように、彩色を施すこともできる。
【００２６】
柱状体１０の長手方向の一端には、台座部１１が連設されている。本実施形態では、台座部１１をベース部１２の上に重ね合わせ、後述する構成とねじ部材１４とにより台座部１１をベース部１２に固定することにより、柱状体１０を立設するように構成している。また、台座部１１が柱状体１０と連設されていることにより、従来のポールコーンのように柱状体１０のみを取り外すことはできず、敢えて取り外すにはコーン型標識１を壊さなければならない。このため、コーン型標識１は、空き駐車スペース１００への自動車の無断駐車を防止する効果が大きい。
【００２７】
本実施形態の台座部１１は、中高の円盤状の外形を有する環状部材であり、弾性材料からなる。弾性材料としては、柱状体１０と同じ弾性材料を使用できる。台座部１１の中空部の径（内径）は筒状部２０の外径よりも小寸でかつ縮径部３１の外径とほぼ同寸になるなるように構成されている。この中空部を利用して、筒状部２０に嵌め込み、筒状部２０の表面を台座装着部２１側に移動させ、縮径部３１に装着することができる。台座部１１の外径は、柱状体１０の立設姿勢を安定的に保持する観点などから、柱状体１０の径よりも大径に設定されることが好ましい。台座部１１の外径は、例えば、好ましくは１００ｍｍ〜３００ｍｍ、より好ましくは１５０ｍｍ〜２５０ｍｍ、さらに好ましくは１８０ｍｍ〜２２０ｍｍの範囲に設定される。また、台座部１１の最大厚みは、例えば、好ましくは２０ｍｍ〜６０ｍｍ、より好ましくは３０ｍｍ〜５０ｍｍ、さらに好ましくは３５ｍｍ〜４５ｍｍの範囲に設定される。
【００２８】
また、台座部１１には、その周方向にほぼ等間隔で配列された４つの第１のねじ孔３４を有している。第１のねじ孔３４は、台座部１１の周方向にほぼ等間隔で配列された凹部３３の底面３３ａに設けられ、台座部１１を厚み方向に貫通した孔となっている。ねじ部材１４ひいては柱状体１０を取り外し難くする観点から、凹部３３の面方向の最大寸法を、ねじ部材１４のねじ山径よりもわずかに大きくなるように設定することが好ましい。本実施形態では、凹部３３及び第１のねじ孔３４をそれぞれ４個設けているが、これに限定されず、１個以上の任意の個数とすることができる。第１のねじ孔３４の内径は、使用するねじ部材１４の外径に応じて適宜変更できる。本実施形態では台座部１１の平面視形状はほほ円形であるが、これに限定されず、ほぼ三角形、ほぼ正方形、ほぼ六角形、ほぼ八角形、ほぼ星形など、任意の形状とすることができる。
【００２９】
本実施形態では、柱状体１０と台座部１１とは別部材として構成されているが、これに限定されず、柱状体１０、台座部１１を一体成形物としてもよい。これらが一体成形物であれば、コーン型標識１が立設された空き駐車スペース１００に無断駐車するためには、柱状体１０や台座部１１を壊さなければならず、無断駐車を防止する効果がさらに大きくなる。なお、一体成形物においても、柱状体１０及び台座部１１に関する前述の各構成をいずれも採用することができる。
【００３０】
台座部１１を上方から重ね合わされるベース部１２は、ベース部上面３６が台座部底面３５の少なくとも一部と接触し、かつベース部底面３７が接着剤層１３を介して路面１０１と接触するように設けられ、金属材料から構成される板状部材である。ベース部１２を構成する金属材料としては特に限定されないが、雨に晒されてもさびにくい金属材料が好ましく、例えば、ステンレス鋼、チタンなどが挙げられる。また、さび易い金属板の表面に防錆塗料からなる塗膜を形成して用いてもよい。
【００３１】
ベース部１２の寸法（径）は特に限定されない。しかし、ベース部１２が台座部１１で覆われることにより、ベース部１２と路面１０１との隙間への水の浸入が抑制されること、台座部底面３５の周縁部が路面１０１と直接接触し、該周縁部と路面１０１とを接着剤で接着することにより、ベース部１２と路面１０１との隙間への水の浸入がより一層防止されることなどから、ベース部１２は、台座部１１とほぼ同径又は台座部１１よりも小寸であることが好ましい。ベース部１２の厚みは特に限定されないが、例えば、好ましくは０．８ｍｍ〜２ｍｍ、より好ましくは１ｍｍ〜１．５ｍｍの範囲に設定すればよい。
【００３２】
また、ベース部１２の平面視形状は、本実施形態ではほぼ円形であるが、これに限定されず、ほぼ正三角形、ほぼ正方形、ほぼ六角形、ほぼ八角形、ほぼ星形などの任意の形状とすることができる。なお、ベース部１２と路面１０１との間への水の侵入を抑制する観点から、台座部１１及びベース部１２の平面視形状を同じにすることが好ましい。
【００３３】
ベース部１２には、その周方向にほぼ等間隔で４つの第２のねじ孔３８がベース部上面３６に設けられている。４つの第２のねじ孔３８は、台座部１１とベース部１２とを重ね合わせたときに、対応する第１、第２のねじ孔３４、３８がそれぞれ連通する位置に設けられている。第２のねじ孔３８の個数は、第１のねじ孔３４の個数に応じて適宜変更できる。第２のねじ孔３８の孔径は、使用するねじ部材１４の外径に応じて適宜変更できる。
【００３４】
本実施形態の第２のねじ孔３８は、より具体的には、ベース部上面３６の所定箇所にナット４１を接合することにより、ナット４１の穴として設けられている。ナット４１のベース部上面３６への接合方法としては特に限定されず、例えば、接着剤による接着、溶着などが挙げられる。本実施形態では、前述のようにして第２のねじ孔３８を設けているが、これに限定されず、ベース１２を厚み方向に貫通する第２のねじ孔を設けてもよい。
【００３５】
台座部１１及びベース部１２を重ね合わせた状態で、それぞれの、連通した第１、第２のねじ孔３４、３８により形成される連通孔にねじ部材１４を嵌入又は螺合させ、台座部１１をベース部１２に固定することにより、台座部１１に続く柱状体１０を路面１０１に対して立設させることができる。ねじ部材１４としては特に限定されないが、自動車には車載用工具としてプラスタイプ及びマイナスタイプのドライバーが標準装備されていることから、ねじ山に溝のないタイプのねじ部材１４が好ましい。
【００３６】
本実施形態のねじ部材１４は、ねじ山に溝のないねじ３９と、ねじ３９のねじ山と台座部１１における凹部３３の底面３３ａとの間に介在させるワッシャー４０と、から構成される。ねじ３９をワッシャー４０を介して第１、第２のねじ孔３４、３８に螺合又は嵌装することにより、台座部１１がベース部１２に固定される。図３に示すように、駐車スペース１００を利用するために、柱状体１０及び台座部１１をベース部１２から取り外した場合、ベース部上面３６に接合されたナット４１（第２のねじ孔３８）には、孔保護用ねじ１０２を嵌装してもよい。
【００３７】
ベース部底面３７には、接着剤層１３が設けられている。接着剤層１３は、ベース部底面３７と路面１０１との間に介在し、例えば、ベース部１２を路面１０１に固定し、柱状体１０の立設姿勢を安定的に保持する。なお、本実施形態では、ベース部底面３７の全面に接着剤層１３が設けられているのではなく、ベース部底面３７の一部は、直接路面１０１と接触及び／又は対向している。なお、接着剤層１３はベース部底面３７の全面に設けてもよい。本実施形態の接着剤層１３は、より具体的には、第１の接着剤を含む第１の接着剤層２２と、第１の接着剤よりも耐水性の高い第２の接着剤を含み、第１の接着剤層２２を取り囲みかつ第１の接着剤層２２と離隔するように設けられた第２の接着剤層２３と、から構成される。
【００３８】
本実施形態の第１の接着剤層２２は、ベース部底面３７のほぼ中央に設けられ、第１の接着剤から構成され、平面視形状がほぼ正方形の領域である。第１の接着剤層２２の平面視形状はほぼ正方形に限定されず、ほぼ円形、ほぼ六角形、ほぼ八角形、ほぼ星型などの左右対称形状とすることが好ましい。一方、第２の接着剤層２３は、第１の接着剤よりも耐水性の高い第２の接着剤から構成され、第１の接着剤層２２と離隔しかつ第１の接着剤層２２の周囲を取り囲む、四角環状の領域として設けられる。第１の接着剤層２２の周囲に第２の接着剤層２３を設けたことから、ベース部底面３７と路面１０１（特に第１の接着剤層２２と路面１０１）との隙間に雨水などの水分が浸み込みにくくなり、接着剤層１３全体としての路面１０１に対する接着力を長期間にわたって高水準に保持される。
【００３９】
本実施形態では、第１の接着剤層２２をほぼ正方形の領域とすることから、路面１０１への立設時のコーン型標識１の軸芯に対して縦横方向にほぼ等しい間隔でベース部底面３７に第１の接着剤層２２を設けている。また、第１の接着剤層２２領域の面積が、第２の接着剤層２３の面積よりも大きくなるように構成している。これらのことから、柱状体１０の路面１０１への立設姿勢を安定的に保持できるとともに、ベース部１２ひいてはコーン型標識１を長期間にわたって路面１０１に強固に接着固定できる。
【００４０】
また、第１、第２の接着剤層２２、２３を互いに離隔するように設けることにより、第１の接着剤層２２よりも外側に配置された第２の接着剤層２３に水が浸み込んだとしても、第２の接着剤層２３から第１の接着剤層２２への水の浸み込みが抑制されるので、ベース部１２ひいてはコーン型標識１を一層長期間にわたって路面１０１に強固に接着固定できる。
【００４１】
第１、第２の接着剤層２２、２３を路面１０１に固定（接着）する前の、第１、第２の接着剤層２２、２３の厚みは特に限定されず、路面１０１の粗さ、材質等の路面条件や、駐車スペース１００が屋根（不図示）付きか否かなどに応じて適宜選択できるが、コーン型標識１の立設姿勢を、長期間にわたって、路面１０１に対してほぼ垂直に保持する観点などから、好ましくは０．５ｍｍ〜３ｍｍ、より好ましくは０．８ｍｍ〜２ｍｍ、さらに好ましくは１ｍｍ〜１．５ｍｍの範囲に設定される。コーン型標識１は、空き駐車スペース１００に複数本設置することがあり、その場合に立設姿勢がばらばらであると、周囲の景観を損ないやすくなる。第１、第２の接着剤層２２、２３の固定前の厚みは同じでも異なっていてもよい。
【００４２】
第１、第２の接着剤層２２、２３に含まれる第１、第２の接着剤としては、市販の接着剤を特に限定なく使用できるが、コーン型標識１の路面１０１への施工性などの観点から、硬化にある程度の時間を要する接着剤が好ましい。このような接着剤としては、例えば、酢酸ビニル水性エマルジョン、酢酸ビニル有機溶剤溶液などの溶媒の乾燥により硬化する接着剤、ユリア樹脂系接着剤、フェノール樹脂系接着剤、エポキシ樹脂系接着剤などの硬化剤の添加により硬化する接着剤、シリコーン樹脂系接着剤、ウレタン樹脂系接着剤、シアノアクリレート樹脂系接着剤などの空気中の湿気と反応して硬化する接着剤などが挙げられる。
【００４３】
なお、第１の接着剤及び第１の接着剤よりも耐水性の高い第２の接着剤の選定は、耐水性試験に基づいて適宜決定できる。耐水性試験の方法としては特に限定されないが、例えば、ＪＩＳ  Ｋ６８５７：１９７３に規定された接着剤の耐水性試験が挙げられる。該耐水性試験において、異なる接着剤からなる複数のサンプルを作製し、該耐水性試験に準じて試験を実施し、最も耐水性の高い接着剤を第２の接着剤として用い、それ以外の接着剤を第１の接着剤として用いればよい。また、市販の接着剤の商品説明書（カタログ）や、ＭＳＤＳに耐水性に関する記載があるものは、その比較により第１、第２の接着剤を選定してもよい。また、第１、第２の接着剤を異なる種類の接着成分（もちろん第２の接着剤の接着成分の方が耐水性が高い）を含むものとすることにより、第１、第２の接着剤層２２、２３の協働による接着力のより一層の持続が得られることもある。具体的には接着成分の樹脂種の変更などが挙げられる。
【００４４】
本実施形態では、ベース部１２と路面１０１との間に、金属板（不図示）などを差し込むことにより、コーン型標識１を比較的容易に路面１０１から取り外すことができる。このように、施工者によるコーン型標識１の取り外しは容易であるが、施行者以外によるコーン型標識１の取り外しは、器物損壊行為に当たるおそれがあるので、無断駐車のためにそのような行為をなす者は通常であれば存在しない。
【００４５】
また、耐水性の異なる接着剤からなる接着剤層を有する２種の両面テープを用い、コーン型標識１の施工現場で、第１、第２の接着剤層２２、２３に対応するように２種の両面テープを切り抜き、２種の切り抜き後の両面テープの一面をベース部底面３７に接着させ、他面を路面１０１に接着させてもよい。
【００４６】
コーン型標識１の路面１０１への施工（取付）は、例えば、まず、ベース部１２をベース部底面３７に設けられた接着剤層１３により路面１０１の所定箇所に固定し、次に台座部１１をベース部１２の上に重ね合わせ、ねじ部材１４を第１、第２のネジ孔３４．３８で形成された連通孔に螺合して台座部１１をベース部１２に固定し、台座部１１に連設された柱状体１０を路面１０１に対して立設させることにより行なわれる。なお、ベース部１２の路面１０１への固定の程度をさらに高めるために、ベース部１２の第２のねじ孔３８以外の領域に、後述する第２実施形態で用いられるような釘部材１７を打ち込んでもよい。釘部材１７は、従来のコーン型標識に取り付けられたアンカー部とは異なり、専用工具などを用いることなく、路面１０１から容易に取り外すことができるので、コーン型標識１の路面１０１からの取り外し性を大きく損なうものではない。また、コーン型標識１を組み立てた後、ベース部底面３７に設けられた接着剤層１３により路面１０１の所定箇所に固定してもよい。
【００４７】
図６は、第２実施形態のコーン型標識２の構成を模式的な示す分解斜視図である。図７は、第２実施形態のコーン型標識２における台座部１５のベース部１６への取り付け状態を模式的に示す断面図である。
【００４８】
図６及び図７に示すコーン型標識２は、コーン型標識１と類似し、共通する部材についてはコーン型標識１と同じ参照符号を付して説明を省略する。コーン型標識２は、好ましくは、駐車スペースの区画整理や、移設などの予定がない駐車スペース１００に設置されるものであるが、区画整理や、移設などの予定がある駐車スペース１００に設置してもよい。コーン型標識２は、コーン型標識１における台座部１１及びベース部１２に代えて、台座部１５、ベース部１６、及び釘部材１７を有する。これらの部材の詳細は、例えば次の通りである。
【００４９】
台座部１５は、その周方向における第１のねじ孔３４とは異なる位置に、ほぼ等間隔で台座部１５を厚み方向に貫通する４つの第１の釘孔４２を有する。なお、第１のねじ孔３４及び第１の釘孔４２は、台座部１５の軸芯を中心とする半径方向において、軸芯からの距離（半径の長さ）が同じでも異なっていてもよい。第１の釘孔４２の孔径は特に限定されず、釘部材１７の外径に応じて適宜選択できる。また、台座部１５における第１の釘孔４２の個数は本実施形態の４個に限定されず、１又はそれ以上の任意の個数とすることができる。
【００５０】
ベース部１６は、その周方向における第２のねじ孔３８とは異なる位置であって、かつベース部１６の上に台座部１５を重ね合わせたときに、第１の釘孔４２と連通する位置に、ほぼ等間隔でベース部１６を厚み方向に貫通する４つの第２の釘孔４３を有する。なお、第２のねじ孔３８及び第２の釘孔４３は、ベース部１６の軸芯を中心とする半径方向において、軸芯からの距離（半径の長さ）が同じでも異なっていてもよい。なお、台座部１５及びベース部１６を重ね合わせたときに、第１、第２の釘孔４２、４３だけでなく、第１、第２のねじ孔３４、３８が連通状態になることは言うまでもない。第２の釘孔４３の孔径は特に限定されず、釘部材１７の径に応じて適宜選択できる。また、ベース部１６における第２の釘孔４３の個数は本実施形態の４個に限定されず、１又はそれ以上の任意の個数とすることができる。
【００５１】
台座部１５及びベース部１６を重ね合わせたときに、第１、第２の釘孔４２、４３により形成された連通孔に打ち込まれる釘部材１７としては特に限定されないが、アスファルト路面施工専用釘、コンクリート路面施行専用釘などを好ましく使用できる。市販品を使用してもよい。これらの専用釘は、例えば、一般的な釘打ち機を用いて打ち込まれる。
【００５２】
本実施形態のコーン型標識２のように、前述の台座部１５、ベース部１６及び釘部材１７を用いることにより、コーン型標識２が路面１０１に対して非常に強固に固定されるので、空き駐車スペース１００への無断駐車を防止する効果が一層高まる。
【００５３】
以上、本発明の実施形態について説明したが、本発明はこうした実施形態に何ら限定されるものではなく、本発明の要旨を逸脱しない範囲において種々の形態で実施できることはもちろんである。
【符号の説明】
【００５４】
１、２  コーン型標識
１０  柱状体
１１、１５  台座部
１２、１６  ベース部
１３  接着剤層
１４  ねじ部材
１７  釘部材
２０  筒状部
２１  台座装着部
２２  第１の接着剤層
２３  第２の接着剤層
３０  頂面
３０ａ  凸部
３１  縮径部
３２  拡径部
３２ａ  端部
３３  凹部
３３ａ  底面
３４  第１のねじ孔
３５  台座部底面
３６  ベース部上面
３７  ベース部底面
３８  第２のねじ孔
３９  ねじ
４０  ワッシャー
４１  ナット
４２  第１の釘孔
４３  第２の釘孔
１００  駐車スペース
１０１  路面
１０２  孔保護用ねじ
【図１】
2018178457.tif 000003
【図２】
2018178457.tif 000004
【図３】
2018178457.tif 000005
【図４】
2018178457.tif 000006
【図５】
2018178457.tif 000007
【図６】
2018178457.tif 000008
【図７】
2018178457.tif 000009